(57)【要約】      （修正有）【課題】吊り下げ式で取出口の向きを容易に変更できるペーパーホルダーを提供する。【解決手段】ペーパーホルダーは、内部にペーパー１００を収容する箱状のペーパーケースと、ペーパーケースを吊り下げた状態で保持するラックとを備え、ペーパーケースの左右の側板の３つの凸部１２ａ、１２ｂ、１２ｃのうち２つの凸部をラックの左右の保持板の２本のスリット２３、２４のうち一方のスリットに通し、他の１つの凸部を他方のスリットに通す。ペーパーケースの向きを変えることで取出口１６を下方に向けた状態で取出口の角度を２パターンから容易に選択することができる。また、ラックを机１０１等の下面に取り付けることでペーパーホルダーを吊り下げ式にできる。【選択図】図５
0003230696.tif 000002
【実用新案登録請求の範囲】
【請求項１】
内部にペーパーを収容する箱状のペーパーケースと、前記ペーパーケースを吊り下げた状態で保持するラックとを備えており、
前記ペーパーケースは正面板、左右の側板、前記ペーパーの挿入口及び前記挿入口を開閉自在にする蓋体を少なくとも備えており、
前記正面板は前記ペーパーの取出口を備えており、
前記左右の側板各々は5角形で且つ3つの凸部を備えており、
前記ラックは左右の保持板及び前記左右の保持板の上部を繋ぐ上板を少なくとも備えており、
前記左右の保持板各々は平行な2本のスリットを備えており、
3つの前記凸部のうち2つの凸部を2本の前記スリットのうち一方の前記スリットに通し、他の1つの凸部を他方の前記スリットに通すことを特徴とするペーパーホルダー。
【請求項２】
前記スリットが前記凸部を収めるための凹部を備えることを特徴とする請求項1に記載のペーパーホルダー。
【請求項３】
前記スリットが後方に向かうにつれて下方に傾斜することを特徴とする請求項1又は2に記載のペーパーホルダー。
【考案の詳細な説明】
【技術分野】
【０００１】
本考案は、吊り下げ式で取出口の向きを容易に変更できるペーパーホルダーに関する。
【背景技術】
【０００２】
箱体内にティッシュペーパーを格納したティッシュボックスについてその使い勝手を良くするために創意工夫がなされている。
例えば特許文献1には、正面に設けた取出口が斜め上方を向くように正面の板体を傾斜させた側面視台形状のティッシュボックスホルダーが開示されている。このティッシュボックスホルダーによれば上面及び正面の両方向からティッシュペーパーを取り出し易くできる。
本願考案者は、左右2枚1組の側板で構成されており、各側板は外形が5角形で、ティッシュボックスの外形に合わせた寸法の保持用開口を備えたティッシュボックスホルダーを発明した(特許文献2)。
【先行技術文献】
【特許文献】
【０００３】
【特許文献１】特開2009-29429号公報
【特許文献２】特許第5901042号公報
【考案の概要】
【考案が解決しようとする課題】
【０００４】
しかし、上記従来技術では以下の問題がある。
特許文献1の技術は取出口の向き（水平面に対する角度）が一定なので、ティッシュボックスの置き場所によってはティッシュペーパーが却って取り出し辛くなるという問題がある。
特許文献2の技術は机の上面等に据え置くタイプのティッシュボックスホルダーであり、壁や机の下面等に吊り下げることができないという問題がある。
また、取出口が上方や斜め上方を向いている場合、手を洗ったあとに手に付着している水分がティッシュペーパーを取り出す際に落下して取出口の周囲や次のティッシュペーパーに付いてしまうことがあり、衛生面で好ましくないという問題もある。
【０００５】
本考案は上記問題に鑑み、吊り下げ式で取出口の向きを容易に変更できるペーパーホルダーを提供することを目的とする。
【課題を解決するための手段】
【０００６】
本考案のペーパーホルダーは、内部にペーパーを収容する箱状のペーパーケースと、前記ペーパーケースを吊り下げた状態で保持するラックとを備えており、前記ペーパーケースは正面板、左右の側板、前記ペーパーの挿入口及び前記挿入口を開閉自在にする蓋体を少なくとも備えており、前記正面板は前記ペーパーの取出口を備えており、前記左右の側板各々は5角形で且つ3つの凸部を備えており、前記ラックは左右の保持板及び前記左右の保持板の上部を繋ぐ上板を少なくとも備えており、前記左右の保持板各々は平行な2本のスリットを備えており、3つの前記凸部のうち2つの凸部を2本の前記スリットのうち一方の前記スリットに通し、他の1つの凸部を他方の前記スリットに通すことを特徴とする。
また、前記スリットが前記凸部を収めるための凹部を備えることを特徴とする。
また、前記スリットが後方に向かうにつれて下方に傾斜することを特徴とする。
【考案の効果】
【０００７】
本考案ではペーパーケースの向きを変えることで取出口を下方に向けた状態で取出口の角度を2パターンから容易に選択することができる。
また、ラックを壁や机等の下面に取り付けることでペーパーホルダーを吊り下げ式にできる。
スリットに凹部を設けることにすればペーパーケースをラックにがたつきなく確実に保持させることができる。
また、スリットを後方に向かうにつれて下方に傾斜させることにすればペーパーケースの自重により凸部がスリット内を前方に移動してしまい、ペーパーケースがラックから脱落する事態を防止できる。
【図面の簡単な説明】
【０００８】
【図１】ペーパーケースの斜視図(a)〜(c)
【図２】ペーパーケースと蓋体の斜視図(a)及びペーパーケースに取り付けた蓋体を閉めた状態の斜視図(b)
【図３】分解した状態のラックの斜視図(a)及び組み立てた状態のラックを模式的に表した斜視図(b)
【図４】ペーパーホルダーの斜視図
【図５】板の下面に取り付けたラックと、取出口を斜め下方に向けたペーパーケースの側面図(a)、ラックがペーパーケースを保持した状態の側面図(b)、板の下面に取り付けたラックと、取出口をほぼ下方に向けたペーパーケースの側面図(c)及びラックがペーパーケースを保持した状態の側面図(d)
【考案を実施するための形態】
【０００９】
以下、本考案のペーパーホルダーの実施の形態について説明する。
図1〜図4に示すようにペーパーホルダー1はペーパーケース10とラック20で構成される。
ペーパーケース10はその内部にペーパー100(図5を参照)を収容する箱状の物体である。ペーパーケース10の素材は特に限定されるものではなく、プラスチック、木材、金属等の周知の素材を使用すればよい。
ペーパー100としてはティッシュペーパーや紙製のウエス（ナプキン）等が挙げられるがこれらに限定されない。
【００１０】
ペーパーケース10は正面板11、左右の側板12、上下の側板13、ペーパーの挿入口14及び蓋体15を備えている。
正面板11にはペーパー100の取出口16が形成されている。
左右の側板12は5角形で、3つの凸部12a,12b,12cを備えている。
【００１１】
正面板11、左右の側板12、上下の側板13を接合することで後方が開口した箱形状になり、この開口がペーパーの挿入口14になる。
蓋体15は挿入口14を開閉自在にする板体であり、図2(b)に示すように左右の側面から突起している軸15aを左右の側板12に設けられている穴12dに挿入することで開閉自在に軸支される。
【００１２】
ラック20はペーパーケース10を吊り下げた状態で保持するための部材である。ラック20は左右の保持板21、上板22及び保持板21と上板22に接合される裏板22bを備えている。
左右の保持板21には平行な2本のスリット23,24が形成されており、後述する通りスリット23,24に凸部12a,12b,12cを通すことでラック20がペーパーケース10を保持する仕組みになっている。スリット23,24は保持板21の前端から後方までのびている。また、スリット23,24は後方に向かうにつれて下方に傾斜している。なお、スリット23,24は図3(a)に示すように保持板21に溝のように彫り込んでもよく、或いは図3(b)に示すように保持板21を貫通してもよい。
【００１３】
本実施の形態ではスリット23,24に凹部23a,23b,24aが形成されている。具体的には上側のスリット23に2つ、下側のスリット24に1つの計3つの凹部23a,23b,24aが形成されている。3つの凸部12a,12b,12cが凹部23a,23b,24aに収まることでペーパーケース10がラック20に対して固定される。
上板22にはねじ穴22aが形成されている。ねじ(図示略)をねじ穴22aの下方から通して図5に示すように机等の板101の下面に留めることでラック20を板101の下面に固定することができ、ペーパーケース10を板101の下面に吊り下げた状態で保持することができる。ねじではなく両面テープや接着剤等の周知の固定手段によりラック20を板101の下面に固定することにしてもよい。
また、裏板22bに形成されている穴22cを利用してねじ等でラック20を壁面に固定することもできる。
【００１４】
次にペーパーホルダー1の使用方法について説明する。
まず、取出口16が斜め下方を向いた第1状態について説明する。
図5(a)に示すようにラック20が板101の下面に取り付けられている状態で、使用者はペーパーケース10の蓋体15を開けて内部にペーパー100を収容し、蓋体15を閉める。
【００１５】
次に使用者は取出口16が斜め下方に向くようにペーパーケース10の向きを調整する。この状態では上側に2つの凸部12a,12b、下側に1つの凸部12cが位置した状態になる。そして、ペーパーケース10をラック20の前方から後方に向かって図5(a)中の矢印の方向に移動させ、上側の2つの凸部12a,12bを上側のスリット23に、下側の1つの凸部12cを下側のスリット24に通す。図5(b)に示すように3つの凸部12a,12b,12cを3つの凹部23a,23b,24aに収めることで取出口16が斜め下方を向いた状態でペーパーケース10がラック20に保持される。
【００１６】
ペーパー100を取り出す際にペーパーケース10に対して斜め下方に引張る力が作用するが、凸部12a,12b,12cが凹部23a,23b,24aに収まっているので、ペーパーケース10がスリット23,24内を前方に移動する事態を防止できる。また、2本のスリット23,24が後方に向かうにつれて下方に傾斜しているのでペーパーケース10の自重により凸部12a,12b,12cがスリット23,24内を前方に移動してしまい、ペーパーケース10がラック20から脱落する事態を防止できる。
【００１７】
取出口16がほぼ下方を向いた第2状態にするには、図5(c）に示すように第1状態のペーパーケース10を水平方向に180度回転させると共に、図5に示す反時計回りにほぼ90度回転させる。この第2状態では上側に2つの凸部12a,12c、下側に1つの凸部12bが位置した状態になる。そして、ペーパーケース10をラック20の前方から後方に向かって図5(c)中の矢印の方向に移動させ、上側の2つの凸部12a,12cを上側のスリット23に、下側の1つの凸部12bを下側のスリット24に通す。そして、3つの凸部12a,12c,12bを3つの凹部23a,23b,24aに収めることで図5(d)に示すように取出口16がほぼ下方を向いた状態でペーパーケース10がラック20に保持される。
換言するとラック20がペーパーケース10を第1状態と第2状態で保持できるように凸部12a,12b,12c、凹部23a,23b,24a及びスリット23,24の位置、大きさ、長さを設計する必要がある。
【００１８】
このように本考案のペーパーホルダー1は取出口16の向きを斜め下方とほぼ下方の2パターンから選択することができる。凸部12a,12b,12cやスリット23,24の位置を設計段階で変えることで取出口16の向きを調節することができる。
また、3つの凸部12a,12b,12cのうち第1状態及び第2状態で常に上側に位置することになる凸部12aを四角形にして、この凸部12aが収まる凹部23aを四角形にすればラック20がペーパーケース10をより強固に保持することができ、ペーパーケース10のがたつきを抑制することができる。
なお、本実施の形態ではスリット23,24が凹部23a,23b,24aを備えることとしたが、必ずしも凹部23a,23b,24aを備えなくてもよい。また、スリット23,24が後方に向かうにつれて下方に傾斜することとしたが、必ずしも下方に傾斜していなくてもよい。
【産業上の利用可能性】
【００１９】
本考案は、吊り下げ式で取出口の向きを容易に変更できるペーパーホルダーであり、産業上の利用可能性を有する。
【符号の説明】
【００２０】
1 ペーパーホルダー
10 ペーパーケース
11 正面板
12 左右の側板
12a,12b,12c 凸部
12d 穴
13 上下の側板
14 挿入口
15 蓋体
15a 軸
16 取出口
20 ラック
21 保持板
22 上板
22a ねじ穴
22b 裏板
22c 穴
23,24 スリット
23a,23b,24a 凹部
100 ペーパー
101 板
【図１】
0003230696.tif 000003
【図２】
0003230696.tif 000004
【図３】
0003230696.tif 000005
【図４】
0003230696.tif 000006
【図５】
0003230696.tif 000007